(57)【特許請求の範囲】
【請求項１】
壁に固定される基台部と、前記基台部に着脱自在に装着され、後面が開口した箱状に形成されて前記基台部の前面を覆うカバーとを備え、
前記カバーの底面には、前記カバーを前記基台部から取り外す際の押圧部材が挿入される挿入口が貫通形成されており、
前記基台部の前面下部には、前記基台部の前面から前方に延出する支柱部と、前記支柱部の端部から下方に向かった後に後方に延出するフック部とを有するバネフックが設けられ、前記フック部の後方延出部分の下面には、前記カバーの前記挿入口に係合するフック突起が形成されており、
前記挿入口から挿入された前記押圧部材によって挿入方向に前記フック突起が押圧されるだけで、前記フック部が上方に撓んで前記挿入口との係合状態が外れ、前記フック突起が前記カバーの底面における前記挿入口の後方部分に乗り上げて係合状態が外れた状態が維持されることを特徴とする壁取り付け用リモコン。
【請求項２】
前記カバーの底面において前記挿入口の後方側に、前記挿入口の位置を示す突起を設けたことを特徴とする請求項１記載の壁取り付け用リモコン。
【請求項３】
前記バネフックの前記支柱部の上面と前記基台部の前面との間の角部に補強用突起部が設けられていることを特徴とする請求項１又は２記載の壁取り付け用リモコン。
【請求項４】
前記バネフックの前記フック部が押圧された際に押下されて壁取り付け用リモコンへの電源供給を遮断する電源ＯＦＦスイッチが前記バネフックに設けられていることを特徴とする請求項１乃至請求項３の何れか１項に記載の壁取り付け用リモコン。
【請求項５】
前記基台部の前面上部には係止部が形成され、前記カバーの上面の後端部には、前記基台部の前記係止部に上方から係止する係合部が形成されており、前記フック突起の前記挿入口との係合状態が外された後、前記バネフックが自然状態に復帰する際の弾性力により前記カバーが前記係合部及び前記係止部による係合部分を支点として前方側に回転することを特徴とする請求項１乃至請求項４の何れか１項に記載の壁取り付け用リモコン。
【請求項６】
前記バネフックの前記フック突起の下面が、後方側に向かうにつれて下方に傾斜する傾斜面となっていることを特徴とする請求項１乃至請求項５の何れか１項に記載の壁取り付け用リモコン。
【請求項７】
前記カバーの前面の裏側に、リモコンの操作及び表示に関わる回路基板を固定したことを特徴とする請求項１乃至請求項６の何れか１項に記載の壁取り付け用リモコン。
【請求項８】
前記カバーの前記挿入口の前方側の内壁面は、上方に行くに従って後方側に傾斜する傾斜ガイド面となっていることを特徴とする請求項１乃至請求項７の何れか１項に記載の壁取り付け用リモコン。
【発明の詳細な説明】
【技術分野】
【０００１】
本発明は、壁に取り付けられるリモコンに関し、特にリモコンのカバーの取り外し構造に関するものである。
【背景技術】
【０００２】
従来の壁取り付け用リモコンとして、壁に取り付けられる基台部と基台部の前面部を覆うカバーとを有し、基台部に基台側係合部を設けると共に、カバーに基台側係合部に係脱自在に係合するカバー側係合部を設け、カバーの前面に、基台側係合部とカバー側係合部との係合状態を解除するための工具が挿入される挿入口を形成したものがある（例えば、特許文献１参照）。特許文献１では、工具を挿入口から差し込み、挿入口を支点として工具の持ち手側を下方に移動させ、テコの原理を利用して工具先端をカバー内部で上方に移動させてカバー側係合部を上方に押圧することにより、係合状態を解除し、カバーを取り外すようにしている。
【先行技術文献】
【特許文献】
【０００３】
【特許文献１】特開２００９−２１６３４８号公報（第４頁、第５頁、図１）
【発明の概要】
【発明が解決しようとする課題】
【０００４】
特許文献１の壁取り付け用リモコンでは、カバーの取り外しの方法がテコの原理を利用したものであるため、カバーを取り外す度に挿入口（テコの支点）が工具により押圧される。このため、何回もカバーの取り外しを行うと、次第に挿入口が凹んだりして傷付き、また、挿入口が凹み過ぎてしまうと支点として機能しなくなり、カバーの取り外しが行い難くなるという問題があった。【０００５】
また、挿入口がカバーの前面、つまり意匠面に設けられているため、挿入口が傷付くと意匠性が損なわれるという問題もあった。また、挿入口がカバーの前面にあると、誤って何らかの物が挿入口に挿入され、意匠破損、カバー外れが生じる可能性もあった。【０００６】
これらの点を考慮し、挿入口をカバーの底面に設けることも考えられる。しかし、テコの原理を利用する方法を前提として挿入口を単純にカバーの底面に移動させた場合、作業者は工具の持ち手を掴んで工具先端を挿入口から挿入し、挿入口を支点として持ち手を壁側に移動させる動作を行うことになる。この場合、工具の持ち手の操作範囲が壁によって規制され、カバーの取り外しが行い難いといった問題が生じる。【０００７】
また、特許文献１では、基台側係合部とカバー側係合部との係合部分が防壁となり、工具がリモコン内部に挿入しすぎることのない構造となっている。しかし、逆に言えば、防壁となるのは係合部分のみであるため、その係合部分の係合状態を解除すると、工具をリモコン内部に挿入可能となってしまう。したがって、係合状態の解除の際に誤って工具を挿入方向に強く押し込んでしまうと、工具が内部まで侵入し、カバー内に設けた回路基板等の部品を破損してしまう可能性があるという問題があった。【０００８】
また、そもそも、テコの原理を利用するカバー取り外し方法では、支点となる挿入口に工具を挿入してから係合状態を解除し、その後、工具を引き出すまでの動作の間に、挿入した工具を挿入口に当てるという動作と、挿入口から工具が外れないようにしつつ、挿入口を支点として持ち手を回転させる動作のテコの動作（持ち手を下方に押し下げる動作）との２つの動作が必要となる。つまり、この２つの動作に注意を払う必要があり、動作効率が悪いという問題があった。また、テコの原理を利用した方法では、取り外し時に力を入れすぎると、カバーが勢いよく外れて床に落として破損する可能性もあるという問題もある。【０００９】
本発明はこのような点に鑑みなされたもので、意匠性を損なうことがなく、また、内部の部品を破損することなく、テコの原理を利用しない取り外し方法で容易にカバーの取り外しを行える壁取り付け用リモコンを提供することを目的とする。
【課題を解決するための手段】
【００１０】
本発明に係る壁取り付け用リモコンは、壁に固定される基台部と、基台部に着脱自在に装着され、後面が開口した箱状に形成されて基台部の前面を覆うカバーとを備え、カバーの底面には、カバーを基台部から取り外す際の押圧部材が挿入される挿入口が貫通形成されており、基台部の前面下部には、基台部の前面から前方に延出する支柱部と、支柱部の端部から下方に向かった後に後方に延出するフック部とを有するバネフックが設けられ、フック部の後方延出部分の下面には、カバーの挿入口に係合するフック突起が形成されており、挿入口から挿入された押圧部材によって挿入方向にフック突起が押圧されるだけで、フック部が上方に撓んで挿入口との係合状態が外れ、フック突起がカバーの底面における挿入口の後方部分に乗り上げて係合状態が外れた状態が維持されるものである。
【発明の効果】
【００１１】
本発明によれば、カバーの底面に設けた挿入口から押圧部材を挿入してフック突起を押圧するだけでフック突起と挿入口との係合状態を外すことができ、カバーを基台部から取り外すことができる。このように、テコの原理を利用せず、押圧部材の挿入動作と引き抜き動作だけでカバーの取り外しを行うことが可能であるため、カバーの取り外し作業が容易である。また、押圧部材が挿入される挿入口がカバーの底面にあるため、意匠性を損なうことがない。また、挿入口から押圧部材が誤って必要以上に強く押し込まれたとしても、バネフック自体が防壁となり押圧部材先端が内部の奥まで挿入されるのを防止できる。よって、リモコン内部の部品を破損する等の不都合を防止できる。
【図面の簡単な説明】
【００１２】
【図１】本発明の一実施の形態に係る壁取り付け用リモコンを示す図で、（ａ）は側面方向から見た断面図、（ｂ）はカバーを取り外した状態の正面図、（ｃ）はカバーを取り付けた状態の正面図、（ｄ）はカバーの底面図である。
【図２】図１のバネフックの拡大図である。
【図３】図１のリモコンにおけるカバー取り外し時の動作説明図である。
【図４】図１のリモコンにおいてバネフックの係合状態を解除した状態を示す断面図である。
【図５】バネフックの応用例を示す図である。
【発明を実施するための形態】
【００１３】
図１は、本発明の一実施の形態に係る壁取り付け用リモコンを示す図で、（ａ）は側面方向から見た断面図、（ｂ）はカバーを取り外した状態の正面図、（ｃ）はカバーを取り付けた状態の正面図、（ｄ）はカバーの底面図である。なお、図１及び後述の図において、同一の符号を付したものは、同一の又はこれに相当するものであり、これは明細書の全文において共通している。更に、明細書全文に表れている構成要素の形態は、あくまで例示であってこれらの記載に限定されるものではない。なお、以下の説明で用いる「上」「下」「左」「右」「前」「後」「手前」「奥」は、壁取り付け用リモコン（以下、略してリモコンという）を正面（前面）側から見た場合の方向を意味している。リモコン１による制御対象機器は任意であるが、ここでは空気調和機の室内機であるものとする。
【００１４】
リモコン１は、壁Ｗに取り付けられる平板状の樹脂製の基台部１０と、基台部１０に着脱自在に装着され、基台部１０の前面全体を覆うカバー３０とを備えている。基台部１０は、上下２箇所にネジ穴１１を有し、このネジ穴１１にネジ１２が挿通されて壁Ｗにネジ固定されている。基台部１０の上部側には、電源（図示せず）に電気的に接続された端子台１３が配置され、端子台１３の下方には、後述の電源コード５３を止めるためのコード止め１４が基台部１０の前面から前方に突出するように形成されている。また、基台部１０の上端部には、前方に延出した後に上方に延出する係止部１５が形成されている。
【００１５】
また、基台部１０の前面下部の左右２箇所には、カバー脱着用のバネフック２０が基台部１０と一体に樹脂で形成されている。
【００１６】
図２は、図１のバネフックの拡大図である。
バネフック２０は、基台部１０の前面から前方に延出する支柱部２１と、支柱部２１の端部から下方に向かった後に後方に延出するフック部２３とが一体に形成された構成を有している。支柱部２１の上面と基台部１０の前面との略直角の角部において支柱部２１の上面の左右方向の中心部（図１（ｂ）参照）には、支柱部２１を補強する側面視略直角三角形状の補強用突起部２２が支柱部２１及び基台部１０と一体に形成されている。また、フック部２３の後方延出部分の下面には、下方に突出するフック突起２４がフック部２３と一体に形成されている。フック突起２４は、その下面が、後方側に向かうにつれて下方に傾斜する傾斜面２４ａとなっている。この傾斜面２４ａは、後述の挿入口３４から工具６０（図３参照）が挿入された際に、その工具６０によって押圧される押圧面となる。
【００１７】
図１の説明に戻る。カバー３０は、前面３１、上面３２、底面３３、右側面（図示せず）及び左側面（図示せず）を有し、後面が開口した箱状に形成されている。カバー３０の前面３１の表面側には、各種の操作ボタンを備えた操作部４０と、後述の回路基板５０に設けた表示装置５１の表示をカバー３０の前方から確認可能とするための窓部４１とが形成されている。カバー３０の前面３１の裏側には、本リモコン１で操作される室内機の運転状態等を表示する表示装置５１や制御回路（図示せず）が搭載された回路基板５０がネジ５４でネジ固定されている。
【００１８】
回路基板５０は、表示装置５１の搭載面側が前面３１と対向するようにして前面３１に固定されており、表示装置５１と反対側の面には機能設定用のディップスイッチ５２と、電源コード５３とが設けられている。電源コード５３は、基台部１０に設けたコード止め１４で一旦係止された後、端子台１３に接続されており、この端子台１３及び電源コード５３を介して回路基板５０に電源が供給されるようになっている。
【００１９】
カバー３０の上面３２の後端部には、下向きに延びる係合部３２ａが形成されており、係合部３２ａが基台部１０の係止部１５に上から着脱自在に係止されるようになっている。すなわち、カバー３０は、その上部側が基台部１０にいわば吊り掛けられた状態で係止されている。カバー３０の下部側の係止については以下で説明する。
【００２０】
カバー３０の底面３３には、基台部１０に設けたバネフック２０のフック突起２４が係合する貫通孔３４が２つのバネフック２０に対応して２箇所に貫通形成されている。この貫通孔３４は、カバー３０を基台部１０から取り外す際に押圧部材としての工具６０が挿入される挿入口ともなる部分であり、以下では挿入口３４と呼ぶことにする。
【００２１】
挿入口３４は、ここでは図１（ｄ）に示すように四角形状に形成され、四面の内壁面のうち前方側の内壁面は、上方に行くに従って後方側（基台部１０側）に傾斜する傾斜ガイド面３４ａとなっている。この傾斜ガイド面３４ａは、挿入口３４から工具６０を挿入する際のガイドとして機能し、リモコン１の前方に立った作業者が工具６０を斜め上向きに挿入し易いように設けられている。なお、工具６０の挿入は、必ずしも斜め上向きにすることに限定されず、真下から上向きに挿入するようにしても、もちろんよい。
【００２２】
また、カバー３０の底面３３において挿入口３４の後方側には、挿入口３４の位置を作業者に示すための目印となる突起３５が設けられている。突起３５は、リモコン１の前に立った作業者から目視可能な大きさに形成することが好ましい。
【００２３】
次に、以上のように構成されたリモコン１においてカバー３０を取り外す際の動作について説明する。
【００２４】
図３は、図１のリモコンにおけるカバー取り外し時の動作説明図で、バネフックを含む要部拡大断面図を示している。図４は、図１のリモコンにおいてバネフックの係合状態を外した状態を示す断面図である。図３において実線矢印は工具６０の移動方向を示している。
【００２５】
（１）まず、作業者は、カバー３０の底面３３の突起３５を目印として挿入口３４の位置を特定し、挿入口３４に工具６０を挿入してバネフック２０の傾斜面２４ａを押圧する。このとき、作業者は、挿入口３４の傾斜ガイド面３４ａに沿って斜め上向きに工具６０を挿入する。
【００２６】
（２）挿入口３４に挿入した工具６０の先端でバネフック２０の傾斜面２４ａを斜め上向きに押圧すると、バネフック２０のフック部２３が撓んで上方に押し上げられる。これにより、フック突起２４と挿入口３４との係合状態が外れると共に、フック突起２４の下方端部２４ｂがカバー３０の底面３３における挿入口３４の後方部分３６に乗り上げた状態となる。
【００２７】
（３）そして、工具６０を挿入口３４から引き抜くと、バネフック２０は自身の弾性力で自然状態に復帰しようとするため、その復帰しようとする力によって後方部分３６を前方に押しやる。ここで、フック突起２４において後方部分３６と接触している傾斜面２４ａは、手前側に行くに従って上方に傾斜しているため、バネフック２０による前方に押しやる力により、後方部分３６は点線矢印方向に傾斜面２４ａを滑って手前側に自動的に移動する。
【００２８】
（４）そして、カバー３０は、底面３３の後方部分３６が傾斜面２４ａを手前側に滑ることにより、図４に示すようにカバー３０の上部に設けた係合部３２ａ及び係止部１５による係合部分を支点として更に図４の矢印に示すように手前側に自動的に回転する。そして、バネフック２０が自然状態に戻った状態においては、底面３３の後方部分３６がフック突起２４の傾斜面２４ａの最上端２４ｃよりも手前側に位置した状態となり、バネフック２０が挿入口３４から完全に外れた状態となる。
【００２９】
以上のバネフック２０の係合状態を外す動作を、２箇所のバネフック２０のそれぞれについて行い、カバー３０を取り外す。
【００３０】
ここで、カバー３０の底面３３の後方部分３６が、フック突起２４の傾斜面２４ａの最上端２４ｃの手前側に位置した状態（図３（４）の状態）では、カバー３０の底面３３を後方に押し込んで後方部分３６を傾斜面２４ａに押し上げない限り、一旦外したフック突起２４が挿入口３４に再度係止されることはない。よって、一方のバネフック２０のフック突起２４を外している途中で、先に取り外したバネフック２０のフック突起２４が挿入口３４に再び係止されてしまうことはない。
【００３１】
また、２つのバネフック２０の両方を挿入口３４から係合状態を外した状態では、カバー３０の係合部３２ａが、基台部１０の係止部１５に吊り掛けられた状態で係止しているため、バネフック２０の係合状態を外している途中でカバー３０が下に落ちてカバー意匠を傷つけるといった不都合を防止できる。
【００３２】
また、フック突起２４の傾斜面２４ａが工具６０によって押圧された際、バネフック２０のフック部２３は上方に押圧されて撓み、バネフック２０の支柱部２１には、上向きの力が作用する。しかし、支柱部２１は補強用突起部２２によって補強されているため、バネフック２０に対して強く工具６０が押圧されて大きな上向きの力が作用しても、バネフック２０自体が壊れることはない。
【００３３】
また、挿入口３４から工具６０が誤って必要以上に強く押し込まれたとしても、バネフック２０自体が防壁となり工具先端が内部の奥まで挿入されるのを防止できる。よって、工具６０によってリモコン１内部の部品を破損する等の不都合を防止できる。
【００３４】
また、回路基板５０を基台部１０側ではなくカバー３０側に固定する構造としたため、挿入口３４から工具６０が誤って必要以上に強く押し込まれたとしても、回路基板５０の破損を防止することができる。
【００３５】
以上説明したように、本実施の形態によれば、カバー３０の底面３３に設けた挿入口３４から工具６０を挿入し、挿入口３４内に位置しているバネフック２０のフック突起２４を押圧した後、工具６０を挿入口３４から引き抜くことで、バネフック２０が自然状態に復帰する際の弾性力によってカバー３０の下部側が基台部１０から自動的に開いて離れるようにした。このように従来のようなテコの原理を利用せず、工具６０の挿入・引き抜き動作でカバー３０の取り外しを行うことが可能であるため、カバー３０の取り外し作業が極めて単純であり、取り外し作業性を向上できる。
【００３６】
また、本実施の形態のリモコン１によれば、カバー３０取り外しの作業性が向上するため、例えば、ホテルの客室など、大量のリモコンを壁に取り付けている場合において特に効果的である。例えば、空調の運用変更（表示方法の変更、制限・省エネ設定等）等のためにリモコン１の機能設定を確認したり、設定内容を変更したりする場合、カバー３０を外して内部のディップスイッチ５２の設定確認・変更を行う。このとき、カバー取り外し作業に時間がかかると、客室利用に多大な迷惑をかけることになる。しかし、本例のリモコン１では、カバー取り外し作業が容易であるため、作業時間を短縮することができて効果的である。
【００３７】
また、挿入口３４をカバー３０の底面３３に設けたため意匠性を損なうことがない。
【００３８】
また、従来構造では、テコの原理を利用した取り外し方法であるため、テコの支点となる部分が次第に凹んでくる可能性があるが、本例の構造では挿入口３４内の直線方向の移動であるため、工具６０が挿入される挿入口３４部分が凹むといった不都合を防止できる。
【００３９】
なお、本実施の形態では、以下の（ａ）〜（ｇ）にまとめたように各種の特徴的な構造を全て備えた構造について説明したが、必ずしも全てを備えた構成に限定されず、少なくとも以下の（ａ）を備えた構造であればよい。
【００４０】
（ａ）バネフック２０を有する基台部１０と、基台部１０に着脱自在に装着され、後面が開口した箱状に形成されて基台部１０の前面を覆うカバー３０とを有する。また、カバー３０を基台部１０から取り外す際の工具６０等の押圧部材が挿入される挿入口３４が、意匠性を損ねないようにカバー３０の底面３３に貫通形成されている。バネフック２０は、基台部１０の前面から前方に延出する支柱部２１と、支柱部２１の端部から下方に向かった後に後方に延出するフック部２３とを有する。そして、フック部２３の後方延出部分の下面には、カバー３０の挿入口３４に係合するフック突起２４が形成されており、挿入口３４を介してカバー３０の外部からフック突起２４が押圧されることにより、フック部２３が上方に撓んで挿入口３４との係合状態が外れる構造。
【００４１】
（ｂ）基台部１０の前面上部には係止部１５が形成され、カバー３０の上面の後端部には、基台部１０の係止部１５に上方から係止する係合部３２ａが形成されている。そして、フック突起２４の挿入口３４との係合状態が外された後、バネフック２０が自然状態に復帰する際の弾性力によりカバー３０が係合部３２ａを支点として前方側に回転する構造。
【００４２】
（ｃ）バネフック２０のフック突起２４の下面が、後方側に向かうにつれて下方に傾斜する傾斜面２４ａとなっている構造。
（ｄ）回路基板５０をカバー３０に固定した構造。
（ｅ）カバー底面３３に挿入口３４の目印となる突起を設けた構造。
（ｆ）挿入口３４の前方側の内壁面が、上方に行くに従って後方側（基台部１０側）に傾斜する傾斜ガイド面３４ａとなっている構造。
（ｇ）バネフック２０の支柱部２１が補強用突起部２２によって補強された構造。
【００４３】
また、バネフック２０の応用例として、次の図５のように構成してもよい。
【００４４】
図５は、バネフックの応用例を示す図である。
図５では、バネフック２０において支柱部２１の底面に電源ＯＦＦスイッチ７０を設けている。電源ＯＦＦスイッチ７０は、電源コード５３に接続されている。フック部２３が押圧されて上方に押し上げられると、電源ＯＦＦスイッチ７０が押され、回路基板５０への電源供給をＯＦＦするようにしてもよい。また、電源ＯＦＦスイッチ７０を、給電ＯＦＦ要求スイッチとし、給電ＯＦＦ要求スイッチが押された場合は給電元の室内機に給電要求ＯＦＦ信号を挿入して、室内機からの給電をＯＦＦさせてもよい。
【００４５】
なお、上記では、バネフック２０を樹脂製とし、またバネフック２０を基台部１０と一体的に形成するとしたが、材質や形成方法はこれに限定するものではない。
【符号の説明】
【００４６】
１  壁取り付け用リモコン、１０  基台部、１１  ネジ穴、１２  ネジ、１３  端子台、１４  コード止め、１５  係止部、２０  バネフック、２１  支柱部、２２  補強用突起部、２３  フック部、２４  フック突起、２４ａ  傾斜面、２４ｂ  下方端部、２４ｃ  最上端、３０  カバー、３１  前面、３２  上面、３２ａ  係合部、３３  底面、３４  挿入口（貫通孔）、３４ａ  傾斜ガイド面、３５  突起、３６  後方部分、４０  操作部、４１  窓部、５０  回路基板、５１  表示装置、５２  ディップスイッチ、５３  電源コード、５４  ネジ、６０  工具、７０  電源ＯＦＦスイッチ、Ｗ  壁。
【図１】
0005877849.tif 000002
【図２】
0005877849.tif 000003
【図３】
0005877849.tif 000004
【図４】
0005877849.tif 000005
【図５】
0005877849.tif 000006